(57)【要約】      （修正有）【課題】ユーザの快適性を維持しながら、健康データの監視を簡単に行うことができる聴覚装置用のイヤピースを提供する。【解決手段】イヤピース１は、ユーザの外耳道に導入され、ユーザの外耳道の上部に接触するように構成された第１の接触面６を備える外耳道部分２と、ユーザの皮膚表面からの信号を測定するプライマリセンサ１６と、外耳道部分２に取り付けられる第１の部分４およびプライマリセンサ１６に取り付けられる第２の部分５を備え、第２の部分５が、イヤピース１の使用時、プライマリセンサ１６を下耳甲介内に配置する支持構造と、を備える。支持構造は、外耳道の上部からプライマリセンサ１６の皮膚接触面に力を伝達する。【選択図】図１ａ
2020099040.tif 000002
【特許請求の範囲】
【請求項１】
聴覚装置用のイヤピースであって、前記イヤピースが、
ユーザの外耳道に導入される外耳道部分であって、前記ユーザの前記外耳道の上部に接触するように構成された第１の接触面を備える、外耳道部分と、
前記ユーザの皮膚表面からの信号を測定するように構成されたプライマリセンサと、
前記外耳道部分に取り付けられる第１の部分および前記プライマリセンサに取り付けられる第２の部分を備える支持構造であって、前記支持構造の前記第２の部分は、前記聴覚装置用イヤピースの使用時、前記プライマリセンサを下耳甲介内に配置するように構成されている、支持構造と、
を備え、
前記支持構造は、前記外耳道の前記上部から前記プライマリセンサに力を伝達するように構成されている、
聴覚装置用イヤピース。
【請求項２】
前記外耳道部分は、外面を有するハウジングであり、前記ハウジングの前記外面は、前記外耳道の外耳道表面と一致する形状を有する、請求項１に記載のイヤピース。
【請求項３】
前記外耳道部分は、レシーバ用開口部を有する第１の端部、および／または前記支持構造の第１の端部に取り付けられる第２の端部を備える、請求項１または２に記載のイヤピース。
【請求項４】
前記支持構造は、前記第１の部分および／または前記第２の部分に接続される第３の部分を備え、前記第３の部分は、前記ユーザの外耳の表面領域に接触し、そこからの力を前記プライマリセンサの皮膚接触面に伝達するように構成されている、請求項１から３のいずれか一項に記載のイヤピース。
【請求項５】
前記プライマリセンサは、光電式容積脈波センサである、請求項１から４のいずれか一項に記載のイヤピース。
【請求項６】
前記支持構造の前記第１の部分および／または前記第２の部分は、前記ユーザの耳の耳甲介の少なくとも一部に対応する形状を有する、請求項１から５のいずれか一項に記載のイヤピース。
【請求項７】
前記ハウジングは、特定のユーザの前記外耳および／または前記外耳道の３Ｄ形状に対応する、前記特定のユーザ用のカスタムハウジングである、請求項１から６のいずれか一項に記載のイヤピース。
【請求項８】
前記第１の接触面は、非弾性の第１の接触面である、請求項１から７のいずれか一項に記載のイヤピース。
【請求項９】
前記支持構造の前記第２の部分は非弾性である、請求項１から８のいずれか一項に記載のイヤピース。
【請求項１０】
前記外耳道部分は、前記レシーバ用の第１の空洞を備え、かつ／または、前記支持構造は、前記プライマリセンサ用の第２の空洞を備える、請求項１から９のいずれか一項に記載のイヤピース。
【請求項１１】
前記外耳道部分は、レシーバを備える、請求項１から１０のいずれか一項に記載のイヤピース。
【請求項１２】
前記レシーバは、前記外耳道部分に取り外し可能に取り付けられており、かつ／または、前記センサは、前記支持構造に取り外し可能に取り付けられている、請求項１１に記載のイヤピース。
【請求項１３】
前記イヤピースは、ＢＴＥハウジングと、前記外耳道部分における前記レシーバおよび／または前記プライマリセンサを前記聴覚装置のＢＴＥハウジングに接続する電気ワイヤと、を更に備える、請求項１１または１２に記載のイヤピース。
【請求項１４】
ユーザの聴覚装置用イヤピースを製作する方法であって、 
前記ユーザの外耳道の上部の少なくとも一部の位置を表すプライマリデータを取得することと、
前記ユーザの下耳甲介の位置を表すセカンダリデータを取得することと、
前記プライマリデータおよび前記セカンダリデータに基づいて、外耳道部分およびプライマリセンサ用の支持構造を製造することと、
を含み、
前記外耳道部分および前記支持構造は、前記ユーザの前記外耳道の前記上部から前記下耳甲介に力を伝達するように構成されている、聴覚装置用イヤピースを製作する方法。
【請求項１５】
前記外耳道部分および前記センサ用の前記支持構造は、前記ユーザの前記外耳道および／または前記耳甲介の形状の少なくとも一部に対応する外面を有するカスタム部分として提供される、請求項１４に記載の聴覚装置用イヤピースを製作する方法。
【請求項１６】
前記外耳道部分および前記支持構造を製造することは、前記外耳道部分に第１の空洞を形成することと、前記支持構造に第２の空洞を形成することとを含み、前記方法は、前記第１の空洞にレシーバを挿入することと、前記第２の空洞に前記プライマリセンサを挿入することとを含む、請求項１４または１５に記載の聴覚装置用イヤピースを製作する方法。
【発明の詳細な説明】
【技術分野】
【０００１】
本開示は、聴覚装置用イヤピース、および聴覚装置用イヤピースを製作する方法に関する。
【背景技術】
【０００２】
一般に、ユーザからの健康データをいかなるときにも監視することができ、ユーザから継続的に取得され得るデータに医療従事者およびユーザがアクセスするのに役立つ装置が必要とされている。聴覚装置は、ユーザに周知な装置であり、補聴器として継続的に装着することか、あるいはヘッドセットとして断続的に装着することが可能である。したがって、監視装置を聴覚装置に導入することにより、ユーザは、ユーザの快適性を維持しながら、健康データの監視を簡単に行うことができるようになる。
【０００３】
健康状態の監視をイヤホンに導入することは、以前に国際公開第２０１８／１７５１９６号に開示されており、当該公報では、イヤピースは、耳の中の定位置にイヤピースを保持するためにスタビライザを使用している。このスタビライザは、ユーザの外耳に接触し、装着が長期間にわたる場合、不快感を引き起こすことが分かっている。
【発明の概要】
【発明が解決しようとする課題】
【０００４】
したがって、イヤピースがユーザの耳に負担をかけない、聴覚装置用イヤピースが必要である。
【課題を解決するための手段】
【０００５】
聴覚装置用イヤピースを開示する。イヤピースは、ユーザの外耳道に導入される外耳道部分であって、ユーザの外耳道の上部に接触するように構成された第１の接触面を備える、外耳道部分と、ユーザの皮膚表面からの信号を測定するように構成されたプライマリセンサと、外耳道部分に取り付けられる第１の部分およびプライマリセンサに取り付けられる第２の部分を備える支持構造であって、支持構造の第２の部分は、聴覚装置用イヤピースの使用時、プライマリセンサを下耳甲介内に配置するように構成されている、支持構造と、を備えている。この支持構造は、外耳道の上部からプライマリセンサの皮膚接触面に力を伝達するように構成されている。
【０００６】
本開示によるイヤピースの利点は、支持構造によって下耳甲介に配置されているプライマリセンサに、外耳道の上部から第１の接触面を介して力を伝達することによって、下耳甲介に向かう方向に力が確実に印加され、それにより、プライマリセンサが下耳甲介に固定されることである。
【０００７】
別の利点は、第１の接触面と耳甲介との間の反対向きの力によってイヤピースを定位置に固定することができるので、イヤピースが使用中に定位置を維持できることである。
【０００８】
別の利点は、イヤピースが、ユーザからの身体データを監視できることであり、かかる身体データは、例えば、身体トレーニングに、並びに医療従事者が利用できる健康状態の監視に、あるいは、ユーザの特定の身体状態を監視するのに有利な任意の他の目的のために利用できる。
【０００９】
本開示によるイヤピースの利点は、下耳甲介と外耳道の上部との間に力を印加することによって、ユーザの外耳に印加される力を低減し、これにより、プライマリセンサを用いた精密かつ正確な測定を可能にしながら、イヤピースの装着時の不快感を低減できることである。
【００１０】
また、ユーザの聴覚装置用イヤピースを製作する方法を開示する。本方法は、ユーザの外耳道の上部の少なくとも一部の位置を表すプライマリデータを取得することと、ユーザの下耳甲介の位置を表すセカンダリデータを取得することと、プライマリデータおよびセカンダリデータに基づいて、外耳道部分およびプライマリセンサ用の支持構造を製造することと、を含み、外耳道部分および支持構造は、ユーザの外耳道の上部から下耳甲介に力を伝達するように構成されている。
【発明の効果】
【００１１】
本開示により、ユーザの快適性が長時間にわたるように支持構造およびイヤピースが改良される改良型のイヤピースが可能になる。ユーザの外耳に力を連続して印加することは、例えば国際公開公報第２０１８／１７５１９６に示されるものと同様に、例えば、センサからユーザの耳に力を加えるために、スタビライザが耳の柔らかい部分に、すなわち、対耳輪の上脚、耳甲介舟、または耳輪に力を印加するので、力が印加される領域の疲労や不快感を引き起こすことがある。
【００１２】
添付の図面を参照する、本発明の例示的な実施形態に関する以下の詳細な説明により、当業者には、本発明の上記および他の特徴および利点が容易に明らかになるであろう。
【図面の簡単な説明】
【００１３】
【図１ａ】例示的なイヤピースを示す。
【図１ｂ】例示的なイヤピースを示す。
【図２ａ】例示的なイヤピースを示す。
【図２ｂ】例示的なレシーバおよびプライマリセンサを示す。
【図３】例示的なセンサおよびレシーバを、斜視側面図および斜視底面図で示す。
【図４ａ】例示的なカスタムイヤピースを示す。
【図４ｂ】最小限の成形を有する例示的なカスタムイヤピースを示す。
【図５ａ】第３の部分を有する支持構造を有する１つのバージョンのイヤピースを示す。
【図５ｂ】第３の部分を有する支持構造を有する別のバージョンのイヤピースを示す。
【図５ｃ】第３の部分を有する支持構造を有するさらに別のバージョンのイヤピースを示す。
【図６ａ】例示的なＢＴＥ聴覚装置用イヤピースを示す。
【図６ｂ】例示的なＢＴＥ聴覚装置用イヤピースを示す。
【図７ａ】例示的なＩＴＥ聴覚装置用イヤピースを示す。
【図７ｂ】例示的なＩＴＥ聴覚装置用イヤピースを示す。
【発明を実施するための形態】
【００１４】
種々の例示的な実施形態および詳細について、関連する場合には図面を参照して以下に記載する。図面は縮尺通りではない場合があり、同様の構造体または機能の要素は図面を通じて同様の参照番号で表されていることに留意されたい。また、図面は実施形態の説明を容易にすることを意図するものに過ぎないことに留意すべきである。図面は、本発明に関する包括的な記載であることは意図しておらず、または本発明の範囲を限定することも意図していない。加えて、図示した実施形態は、示される全ての態様または利点を有する必要はない。特定の実施形態とともに記載される態様または利点は必ずしも、その実施形態に限定されず、示されていなかったり、または明示的に説明されていなかったりしても、任意の他の実施形態で実施可能である。
【００１５】
本明細書では聴覚装置が開示される。聴覚装置は、ヒアラブルまたは補聴器であってもよく、ユーザの聴力損失を補償するようにプロセッサが構成されている。聴覚装置は、耳掛け（ＢＴＥ）型、耳穴（ＩＴＥ）型、外耳道内（ＩＴＣ）型、外耳道内レシーバ（ＲＩＣ）型、または耳穴内レシーバ（ＲＩＴＥ）型のものであってもよい。補聴器は両耳用補聴器であってもよい。聴覚装置は、第１のイヤピースおよび第２のイヤピースを備えてもよく、第１のイヤピースおよび／または第２のイヤピースは、本明細書に開示されるイヤピースである。聴覚装置は、耳用装置内のマイクロフォンであってもよく、マイクロフォンは、外耳道の中／外に向いていてもよい。聴覚装置は、ＩＴＥハウジング内に２つのマイクロフォン（一方は内側を向いており、他方は外側を向いている）を含んでいてもよい。
【００１６】
聴覚装置は、例えば両耳用聴覚システムの一部としての別の聴覚装置など、１つまたは複数の装置と、並びに／あるいは、スマートフォンおよび／またはスマートウォッチなどの１つまたは複数のアクセサリ装置とワイヤレス通信するように構成されていてもよい。聴覚装置は、任意で、１つまたは複数のワイヤレス入力信号（例えば、第１のワイヤレス入力信号）並びに／あるいは第２のワイヤレス入力信号をアンテナ出力信号（単数または複数）に変換するために、アンテナを備えている。ワイヤレス入力信号（単数または複数）は、スパウスマイクロフォン装置（単数または複数）、ワイヤレスＴＶオーディオトランスミッタ、および／またはワイヤレストランスミッタに関連付けられた分散型マイクロフォンアレイなど、外部ソース（単数または複数）から生じ得る。ワイヤレス入力信号は、例えば両耳用聴覚システムの一部としての別の聴覚装置から、および／または１つまたは複数のアクセサリ装置から生じてもよい。
【００１７】
聴覚装置は、任意で、アンテナ出力信号を送受信機入力信号に変換するために、アンテナに結合された無線送受信機を備えている。異なる外部ソースからのワイヤレス信号は、無線送受信機において送受信機入力信号へと多重化されてもよく、あるいは、無線送受信機の別々の送受信機出力端子に別個の送受信機入力信号として提供されてもよい。聴覚装置は複数のアンテナを備えていてもよく、かつ／または、アンテナは、１つまたは複数のアンテナモードで動作するように構成されていてもよい。任意で、磁気誘導（ＭＩ）、テレコイル、Ｂｌｕｅｔｏｏｔｈ（登録商標）、ＷｉＦｉ、ＮＦＣ、セルラーネットワークなどのような、様々なワイヤレス通信システム／プロトコルについて聴覚装置を利用してもよい。送受信機入力信号は、任意で、第１の外部ソースからの第１のワイヤレス信号を表す第１の送受信機入力信号を含む。
【００１８】
聴覚装置は、マイクロフォンのセットを備えている。マイクロフォンのセットは、１つまたは複数のマイクロフォンを備えていてもよい。マイクロフォンのセットは、第１のマイクロフォン入力信号を提供するための第１のマイクロフォン、および／または第２のマイクロフォン入力信号を提供するための第２のマイクロフォンを備えている。マイクロフォンのセットは、Ｎ個のマイクロフォン信号を提供するためにＮ個のマイクロフォンを備えていてもよく、Ｎは、１〜１０の整数である。１つまたは複数の例示的な聴覚装置では、マイクロフォンの数Ｎは、２個、３個、４個、５個、またはそれ以上である。マイクロフォンのセットは、第３のマイクロフォン入力信号を提供するための第３のマイクロフォンを備えていてもよい。
【００１９】
聴覚装置は、任意で、前処理ユニットを備えている。前処理ユニットは、送受信機入力信号を前処理するために、無線送受信機に接続していてもよい。前処理ユニットは、第１のマイクロフォン入力信号を前処理するために、第１のマイクロフォンに接続していてもよい。前処理ユニットは、存在する場合には、第２のマイクロフォン入力信号を前処理するために第２のマイクロフォンに接続していてもよい。前処理ユニットは、アナログマイクロフォン入力信号（単数または複数）をデジタル前処理済みマイクロフォン入力信号（単数または複数）に変換するための１つまたは複数のＡ／Ｄ変換器を備えていてもよい。聴覚装置は、前処理済み送受信機入力信号および／または前処理済みマイクロフォン入力信号（単数または複数）などの入力信号を処理するためのプロセッサを備えていてもよい。プロセッサは、プロセッサに入力された信号に基づいて電気出力信号を提供する。任意で、プロセッサの入力端子（単数または複数）が、前処理ユニットのそれぞれ対応する出力端子に接続されていてもよい。例えば、プロセッサの送受信機入力端子は、前処理ユニットの送受信機出力端子に接続されていてもよい。プロセッサの１つまたは複数のマイクロフォン入力端子は、前処理ユニットのそれぞれ対応する１つまたは複数のマイクロフォン出力端子に接続されていてもよい。
【００２０】
聴覚装置は、前処理済み送受信機入力信号（単数または複数）および／または前処理済みマイクロフォン入力信号（単数または複数）などの入力信号を処理するためのプロセッサを備えていてもよい。プロセッサは、任意で、聴覚装置のユーザの聴力損失を補償するように構成されている。プロセッサは、プロセッサに入力された信号に基づいて電気出力信号を提供する。任意で、プロセッサの入力端子（単数または複数）が、前処理ユニットのそれぞれ対応する出力端子に接続されていてもよい。例えば、プロセッサの送受信機入力端子は、前処理ユニットの送受信機出力端子に接続されていてもよい。プロセッサの１つまたは複数のマイクロフォン入力端子は、前処理ユニットのそれぞれ対応する１つまたは複数のマイクロフォン出力端子に接続されていてもよい。
【００２１】
本開示によれば、聴覚装置用イヤピースが提供され得る。イヤピースは、ユーザの外耳道に導入される外耳道部分であって、ユーザの外耳道の上部に接触するように構成された第１の接触面を備える、外耳道部分と、ユーザの皮膚表面からの信号を測定するように構成されたプライマリセンサと、外耳道部分に取り付けられる第１の部分およびプライマリセンサに取り付けられる第２の部分を備える支持構造であって、支持構造の第２の部分は、聴覚装置用イヤピースの使用時、プライマリセンサを下耳甲介内に配置するように構成されている、支持構造と、を備えている。支持構造は、外耳道の上部からプライマリセンサの皮膚接触面に力を伝達するように構成されている。
【００２２】
下耳甲介の皮膚表面と外耳道の上部の皮膚表面とは互いに向かい合っており、つまり、両方の表面に対して、力が実質的に直線方向にかかり得る。つまり、２つの皮膚表面間に力が印加されると、これらの皮膚表面は反対向きの力を提供し、この場合、力を静的な力と見なすことができる。これにより、イヤピースをユーザの耳の中に配置したときに、プライマリセンサを定位置に維持しやすくなる。ユーザの耳に力が印加されるとユーザにとって不快になる傾向があるので、力の大きさが低いことが有利であることが分かっている。力は、使用中にイヤピースが定位置に確実にとどまることができるように十分な強さである一方で、ユーザにとってイヤピースが不快になるリスクを最小限に抑えるのに十分な弱さになるように構成しなければならない。この力は、人によって異なる場合があり、耳、外耳道、耳甲介または外耳の解剖学的特徴部のサイズに応じて変動する場合もある。聴覚装置用イヤピースの設計分野及び製作分野の当業者にとって、イヤピースの目的を達成するのに適した好適な大きさの力を見つけることは何ら問題とはならないであろう。
【００２３】
イヤピースの外耳道部分は、外耳道部分がユーザの外耳道に導入されるように、すなわち、外耳道部分の第１の接触面が、外耳道の開口部の奥に鼓膜に向かって内側方向に配置されるように構成されていてもよい。支持構造は、支持構造が第１の接触面から支持構造の第１の部分に圧迫力を伝達できるようにして、外耳道部分に取り付けられる。つまり、圧迫力が支持構造に印加されると、その力は第１の接触面に伝達される。
【００２４】
プライマリセンサは、ユーザの皮膚表面からの信号を測定するように構成されていてもよい。プライマリセンサは、皮膚接触面を含んでおり、皮膚接触面は、使用中、下耳甲介の中に配置され得る。皮膚接触面は、皮膚表面に接触し得る任意の種類の表面であり、センサの一部が任意の適切な方法で皮膚表面に確実に接触するように構成され得る。皮膚接触面は、センサの測定を環境ノイズから確実に保護する要素を備えていてもよく、環境ノイズとは、光、音声であり得る。保護は、センサの測定部品の周縁部を光が通過して、センサが生理学的データを測定する領域に入らないように保証する、例えば、柔らかいスカートの形態であってもよい。例えば日光がユーザの皮膚とプライマリセンサとの間を通過しないようにすることが有利であり得る。
【００２５】
１つまたは複数の例示的なイヤピースでは、外耳道部分は、外面を有するハウジングであってもよく、ハウジングの外面の少なくとも一部の形状は、外耳道の外耳道表面部分と一致し得る。外耳道部分は、このようにして構築されていてもよく、したがって、外耳道部分の外面の少なくとも一部の形状は、外耳道の内面、すなわち、外耳道の皮膚表面に対応している。外耳道部分をハウジングとして有することによって、ハウジングの外面の表面領域は、使用中のイヤピースの快適性および／または安定性を高めるために、外耳道の上部に対する力をより大きな領域まで広げるようになっていてもよい。この領域の大きさは、２ｍｍ２〜８０ｍｍ２、より具体的には３ｍｍ２〜６０ｍｍ２、より具体的には４ｍｍ２〜４０ｍｍ２、より具体的には５ｍｍ２〜３０ｍｍ２であり得る。
【００２６】
１つまたは複数の例示的なイヤピースでは、外耳道部分は、第２の接触面を有してもよく、第２の接触面は、ユーザの外耳道の前方部および／または後方部に接触するように構成されている。外耳道部分に更なる接触面を加えることにより、第２の接触面は、使用中にイヤピースを安定させることができ、外耳道の内側にあるイヤピースにより印加された力を、外耳道の２つ以上の部分に分散させて、快適性を向上させることができる。外耳道部分は、任意で、第３の接触面を備えてもよく、第３の接触面は、外耳道の下部に接触するように構成され得る。
【００２７】
１つまたは複数の例示的なイヤピースでは、外耳道部分は、レシーバ用開口部を有する第１の端部、および／または支持構造の第１の端部に取り付けられ得る第２の端部を含んでいてもよい。レシーバ用の開口部は、外耳道部分の内側から第１の端部を通って外側へと音声が伝達され得る開口部であり得る。第１の端部がレシーバ用開口部を有している外耳道部分を提供することは、外耳道部分が、レシーバおよび／または音声管、あるいは聴覚装置に適した任意の可能なタイプの音声伝達オプションを備え得ることを意味している。したがって、外耳道部分が音声管を備え得る場合、および、例えばＢＴＥ補聴器などにレシーバが設けられ得る場合のいずれかでは、聴覚装置からの音声伝達は、外耳道部分をパッシブに通過してもよい。また、外耳道部分は、レシーバを備えていてもよく、レシーバは、外耳道部分の内側に設けられ、レシーバ用開口部から音声が伝達される。
【００２８】
外耳道部分の第２の端部は、支持構造の第１の端部に接続されるように適合されていてもよい。支持構造の第１の端部に接続され得る外耳道部分を提供することによって、耳甲介の下面から支持構造を介して印加された力は、支持構造の第１の端部を介して外耳道部分の第２の端部に伝えられ得る。 
【００２９】
１つまたは複数の例示的なイヤピースでは、レシーバは、外耳道部分に取り外し可能に取り付けられていてもよく、かつ／または、センサは、支持構造に取り外し可能に取り付けられていてもよい。取り外し可能に取り付けられているレシーバを有し得る外耳道部分を提供することにより、ユーザは、特定の用途のために、外耳道部分および／またはレシーバを使用に応じて交換することができる。例えば、身体トレーニングなどの特定のアクティビティのための特定の外耳道部分をユーザが有している場合、ユーザは、レシーバを変える／外耳道部分から取り外してレシーバを別の外耳道部分に挿入することができる。また、ユーザが外耳道部分を清浄する必要がある場合、外耳道部分が汚れている、または汗で濡れている場合には、取り外し可能なレシーバが便利であることがあり、後でレシーバを交換して外耳道部分に入れてもよい。これにより、例えば水または液体洗剤で外耳道部分を清浄する場合、レシーバが損傷しないように保護することができる。プライマリセンサは、支持構造から取り外し可能であってもよく、必要に応じて、センサを取り付ける、および／または取り外すことができる。取り外し可能なセンサを有することによって、センサは、例えば、最適に機能していない場合に、センサを交換することができ、交換用のセンサを支持構造に取り付けることができる。
【００３０】
１つまたは複数の例示的なイヤピースでは、イヤピースは、レシーバおよび／またはプライマリセンサを聴覚装置のＢＴＥハウジングに接続する電気ワイヤをさらに備えていてもよい。電気ワイヤは、レシーバおよび／またはプライマリセンサへの電気接続を提供していてもよく、電気ワイヤは、イヤピースからＢＴＥハウジングまで延在していてもよい。ワイヤは、ユーザの耳の後ろの定位置にＢＴＥハウジングを維持するために利用され得る硬質ワイヤであってもよい。
【００３１】
１つまたは複数の例示的なイヤピースでは、支持構造は、第１の部分および／または第２の部分に接続される第３の部分を備えていてもよく、第３の部分は、ユーザの外耳の表面領域に接触し、そこからの力をプライマリセンサの皮膚接触面に伝達するように構成されていてもよい。第３の部分を利用して、イヤピースの安定性を高めることができ、第３の部分は、例えば、耳輪、対耳輪、耳の窩または他の解剖学的部分から力を伝達するように構成されていてもよい。第３の部分を利用して、ランニングなどの使用中におけるイヤピースの保持性を高めるために、例えば身体アクティビティ中における安定性を増大させることができ、したがって、ユーザは、身体アクティビティ中に安心感を得る、かつ／またはセンサの配置を向上させることができる。 
【００３２】
１つまたは複数の例示的なイヤピースでは、プライマリセンサは、光電式容積脈波（ＰＰＧ）センサであってもよい。ＰＰＧセンサは、器官の容積測度である容積脈波を光学的に取得することができる。ＰＰＧセンサは、皮膚を照明し、光吸収の変化を測定するパルスオキシメータを使用することによって、取得されてもよい。通常のパルスオキシメータは、皮膚の真皮および皮下組織への血流の灌流を監視する。プライマリセンサを利用して皮膚の下の血流を測定してもよく、プライマリセンサから受信したデータを利用して、データを抽出し、そのデータを処理して身体データを取得してもよい。取得されたデータは、心拍数など、ユーザの特定の生理学的状態を表していてもよく、あるいは、取得されたデータをさらに処理して、特定の身体状態を示し得る特定のデータをさらに抽出してもよい。例えば日光がユーザの皮膚とプライマリセンサとの間を通過しないようにすることが有利であり得る。したがって、本発明の利点のうちの１つは、支持構造を介して伝達される力を使用して、プライマリセンサを正しい位置に保持できることであり、それにより、ＰＰＧセンサ（プライマリセンサ）は、正しい位置に保持され、ユーザの皮膚表面に対して移動しない。皮膚表面に対してプライマリセンサが移動した場合には、ノイズアーチファクトが生じ、それにより、センサ信号、例えばＰＰＧ信号が使用できなくなること、あるいは、センサ信号の少なくとも一部のノイズが大きくなって使用できなくなることがある。
【００３３】
１つまたは複数の例示的なイヤピースでは、支持構造の第１の部分および／または第２の部分の形状は、ユーザの耳の耳甲介の少なくとも一部に対応している。このため、支持構造を耳甲介の輪郭に沿わせることができるようになり、したがって、外耳道から耳甲介に向かう方向に延在する支持構造は、目立たない状態を維持し、ユーザの耳から著しくはみ出して延在することはないようにすることができる。さらに、この形状の支持構造は、支持構造の少なくとも一部がユーザの耳の外耳に接触し得る場合、安定性を高めるために、外耳道開口部から下耳甲介に向かって延びている領域においてユーザの外耳にさらに接触してもよい。
【００３４】
１つまたは複数の例示的なイヤピースでは、外耳道部分は、特定のユーザの外耳および／または外耳道の３Ｄ形状に対応する、特定のユーザ用のカスタムハウジングであってもよい。カスタムハウジングを提供すると、イヤピースは、最適な方法で確実にユーザにぴったりと嵌ることができ、カスタムハウジングの外形の表面は、ユーザの外耳の表面領域と一致することができる。カスタムハウジングは、耳の３Ｄモデルおよびユーザの外耳道を使用して形成または成形することができる。支持構造は、ハウジングの一部であってもよく、ハウジングと一緒に形成されてもよい。つまり、外耳道部分を定位置に保持するように、並びに、外耳道の上部と下耳甲介との間に印加される力が特定のユーザにとって最適であるように配置された支持構造を維持しながら、支持構造を最適に形成および構築してもよい。すなわち、これらの２つの解剖学的部分間の力は、最適な方法で適用され、それにより、イヤピースの使用時にユーザの耳が疲労するリスクが低減される。
【００３５】
１つまたは複数の例示的なイヤピースでは、第１の接触面は、非弾性の第１の接触面であってもよい。非弾性の第１の接触面は、外耳道部分を通じて印加される力を外耳道の上部に向かって完全に伝えることができることを意図しており、それによって、支持構造から外耳道部分に向かって印加される力は、外耳道部分の弾性によって力を損失することなく、外耳道部分を通じて直接伝えられる。つまり、効果的なことに、第１の接触面は、力が印加されたときに屈曲または撓曲するように適合されているのに、硬い接触面に見え得る弾性部分を有していない。したがって、外耳道部分の第１の接触面は硬くてもよい。第１の接触面の硬さについては、イヤピースの使用という点では、外耳道に入るように適合されている可撓性部材を用いてイヤピースを提供することが非常に一般的であると考えられ得る。本開示の理解において、「硬い」と言う用語は、イヤピースの使用前および使用中に、外耳道部分の形状を維持し、外耳道部分を挿入しても、耳内で外耳道部分の形状が変化しないことを意味するものである。
【００３６】
１つまたは複数の例示的なイヤピースでは、支持構造の第２の部分は非弾性であってもよい。したがって、支持構造の第２の部分は硬くてもよい。支持構造を非弾性にすることによって、支持構造がイヤピースの使用前および使用中に既定の形状を維持し、それにより、イヤピースがユーザの耳に挿入されたときに形状が維持されるように支持構造を形成することができる。非弾性形状の第２の部分により、確実に、使用中にセンサの配置が維持され、イヤピースをユーザの耳の中に配置したときに力を一定にして印加することができ、かつ、外耳道の上部および下耳甲介からの力を一定に保たれる。したがって、外耳道部分がユーザの耳に導入されると、支持構造は定位置を維持し、支持構造の第２の部分は、外耳道部分に対して移動しない。
【００３７】
１つまたは複数の例示的なイヤピースでは、外耳道部分は、レシーバ用の第１の空洞を含んでもよく、かつ／または、支持構造は、プライマリセンサ用の第２の空洞を含んでもよい。レシーバ用の第１の空洞およびプライマリセンサ用の第２の空洞を提供することによって、レシーバおよびプライマリセンサをイヤピースに取り外し可能に接続することができ、例えば、必要な場合に交換することができる。したがって、プライマリセンサまたはレシーバが損傷または故障した場合、レシーバおよび／またはプライマリセンサをそれぞれの空洞から取り外して、交換用のセンサを同じ空洞に配置することは、比較的容易である。空洞は開口した空洞であってもよく、空洞は、空洞の片側から空洞の反対側へと貫通開口部を提供している。
【００３８】
１つまたは複数の例示的なイヤピースでは、外耳道部分は、レシーバを備えていてもよい。外耳道部分にレシーバを提供することにより、電気ワイヤを介して聴覚装置をイヤピースに接続することを可能にしてもよく、電気ワイヤは、プライマリセンサに向かって延び、それによって、レシーバとプライマリセンサの両方が聴覚装置に電気的に接続される。また、プライマリセンサおよび／またはレシーバは、プライマリセンサおよび／またはレシーバに、電力、電気信号、および／またはデータ伝送の全てを伝達するために、別個の電気ワイヤを備えていてもよい。 
【００３９】
本開示はまた、ユーザの聴覚装置用イヤピースを製作する方法に関し、その方法は、ユーザの外耳道の上部の少なくとも一部の位置を表すプライマリデータを取得することと、ユーザの下耳甲介の位置を表すセカンダリデータを取得することと、プライマリデータおよびセカンダリデータに基づいて、外耳道部分およびプライマリセンサ用の支持構造を製造することと、を含み、外耳道部分および支持構造は、ユーザの外耳道の上部から下耳甲介に力を伝達するように構成されている。耳の１つ、２つまたはそれよりも多くの解剖学的部分の位置が取得されたイヤピースを提供することによって、接触面、下耳甲介、および、外耳道の上部に、または任意の更なる接触面に、またはそれらの接触面の間に、正確な大きさの力を加えられるように、外耳道部分および／または支持構造を構築することでき、それにより、外耳道部分および／または支持構造を介して接触面に印加される力を使用して、イヤピースを所定の位置に保持することができる。このようにして、外耳道部分の第１の接触面および支持構造の第２の部分は、ユーザの耳にぴったりと嵌るように配置してもよく、したがって、十分な力で、プライマリセンサを定位置に保持し、イヤピースの最適な快適性を確保する。
【００４０】
１つまたは複数の例示的な方法では、外耳道部分およびセンサ用の支持構造は、ユーザの外耳道および／または耳甲介の形状の少なくとも一部に対応する外面を有するカスタム部分として提供されてもよい。カスタムハウジングを提供すると、イヤピースは、最適な方法で確実にユーザにぴったりと嵌ることができ、カスタムハウジングの外形の表面は、ユーザの外耳の表面領域と一致することができる。カスタムハウジングは、耳の３Ｄモデルおよびユーザの外耳道を使用して形成または成形することができる。支持構造は、ハウジングの一部であってもよく、ハウジングと一緒に形成されてもよい。つまり、外耳道部分を定位置に保持するように、並びに、外耳道の上部と下耳甲介との間に印加される力が特定のユーザにとって最適であるように配置された支持構造を維持しながら、支持構造を最適に形成および構築してもよい。すなわち、これらの２つの解剖学的部分間の力は、最適な方法で適用され、それにより、イヤピースの使用時にユーザが疲労するリスクが低減される。
【００４１】
１つまたは複数の例示的な方法では、外耳道部分および支持構造を製造することは、外耳道部分に第１の空洞を形成すること、および／または支持構造に第２の空洞を形成することを含み、本方法は、第１の空洞にレシーバを挿入すること、および／または第２の空洞にプライマリセンサを挿入することを含んでもよい。レシーバ用の第１の空洞およびプライマリセンサ用の第２の空洞を提供することによって、レシーバおよび／またはプライマリセンサを、イヤピースに取り外し可能に接続することができ、例えば、必要な場合に交換することができる。したがって、プライマリセンサまたはレシーバが損傷または故障した場合、レシーバおよび／またはセンサをそれぞれの空洞から取り外して、交換用のセンサを同じ空洞に配置することは、比較的容易である。空洞は開口した空洞であってもよく、空洞は、空洞の片側から空洞の反対側へと貫通開口部を提供している。
【００４２】
図１ａは、外耳道部分２と支持構造３とを有するイヤピース１を示しており、支持構造は、第１の部分４および第２の部分５を備えている。外耳道部分２は、第１の接触面６を備え、外耳道部分２は、ユーザの外耳道の中に挿入されるように適合されており、第１の接触面６は、第１の接触面がユーザの上外耳道と接触するように配置されるように適合されている。外耳道部分２は、支持構造３に取り付けられており、この例示的な実施形態では、支持構造３と外耳道部分２とは一体であり、すなわち、接合なしで構築された単一の材料から作られている。外耳道部分２は、任意で、レシーバ８用の空洞７（第１の空洞とも呼ばれる）を含み、レシーバ８は、空洞７の中へと延在しており、外耳道部分２の第１の端部９は、レシーバ用開口部（図示せず）を含んでいる。この例示的な実施形態では、外耳道部分２は、第２の接触面１０、第３の接触面１１および第４の接触面１２を備え、接触面１０、１１、１２は、ユーザの外耳道の周囲全体に接触するように適合されている。 
【００４３】
支持構造３は、外耳道部分２の第２の端部１３に接続される第１の部分４を備え、支持構造は、外側に向かって後ろ向きに延在しており、それにより、支持構造の底部１８は、第２の部分５で終端するまで、ユーザの外耳の輪郭に沿っている。第２の部分５は、センサ１６用の空洞１５（第２の空洞とも呼ばれる）を含んでおり、センサ１６は、この空洞の内側に配置され、それにより、プライマリセンサの底部（図３を参照）は、下側開口部（図２ａの１７）を通って支持構造の底部１８で露出しており、プライマリセンサの底部が、ユーザの下耳甲介に接触することが可能になる。プライマリセンサ１６は、ＰＰＧセンサであってもよく、プライマリセンサは、ユーザの皮膚表面に赤外線を照射するよう適合されており、光の反射を使用して皮膚から測定データを抽出することができる。測定データは、例えば、皮膚の下の血流であってもよい。したがって、支持構造３の底部１８は、外耳道の開口部から下耳甲介に向かって、耳の輪郭に沿うことができ、支持構造３の第１の部分４は、外耳道部分２に取り付けられ、支持構造３の底部１８に沿って、プライマリセンサを保持する第２の部分５に向かっている。
【００４４】
外耳道部分２は、第１の接触面６を備えており、第１の接触面は、支持構造３と下耳甲介に配置され得るプライマリセンサ１６とに機械的に接続されている。それによって、支持構造３の第２の部分５および／またはセンサ１６に印加される力は、第１の接触面６に印加される対向力とは反対になり得る。このため、ユーザの耳の内側にイヤピース１が配置されると、第１の接触面６に印加される力と、第２の部分５に印加される力とは反対向きになり、反対向きの力によってイヤピースが挟み込まれることによって、イヤピース１をユーザの耳の内側に固定することが可能になる。第１の接触面６に対向力を加えるために、センサ１６が皮膚接触表面を有していてもよく、かつ／または、支持構造３が皮膚接触面を有してもよい。
【００４５】
図１ａに示したイヤピースは、例えばＢＴＥハウジング（図示せず）にイヤピース１を接続するために利用することができる電気ワイヤ１９を備えており、電気ワイヤ１９の第１の部分２０は、ＢＴＥハウジングからレシーバ８まで延びている。図１ｂに示すように、ワイヤ１９の電気接続２３のうちの少なくとも一部は、レシーバ８に接続されており、ワイヤの電気接続のうちの少なくとも一部は、ワイヤ１９の第２の部分２１を介して、センサハウジング２２の中へと前方に延在している。レシーバの中へと延在する電気接続２３は、例えば、電気音声信号をレシーバに送信するように適合されている一方で、ワイヤの第２の部分２１に沿って延在する電気接続２３は、センサに電力供給し、センサデータを送受信し、電気ワイヤ１９を介してＢＴＥハウジングへと伝達するために利用できる。
【００４６】
図２ａは、プライマリセンサおよびレシーバがない、図１の成形されたイヤピースを示しており、支持構造の底部１８の開口部１７が示されている。この図には、レシーバ用空洞７とセンサ用空洞１５が示されており、図２ａに示したセンサ１６および／またはレシーバ８をイヤピース１に取り外し可能に取り付けてもよい。
【００４７】
図３は、センサ１６、レシーバ８、および電気ワイヤ１９を示している。この図では、センサの底部２４が示されており、底部２４は、皮膚接触面２５、第１のウィンドウ２６、第２のウィンドウ２７を備えている。ＰＰＧセンサの光の透過および感知は、ＰＰＧセンサ用の従来の部品を使用して測定することができる。ウィンドウは半透明であって、光がセンサハウジング２８の内部からウィンドウ２６、２７を通ってユーザの皮膚の中へと透過できるようになり、皮膚および身体の皮下領域で反射した光をＰＰＧセンサによって受け取ることができる。次いで、受信した信号を、電気接続２３を介して、例えばＢＴＥハウジングに向かって送信し、そこで、信号を記憶すること、処理すること、あるいは場合によっては、ユーザの生理学的データを表すために信号を利用することができる。
【００４８】
図４ａは、本開示による、カスタム成形イヤピース４０を有するイヤピースの別の例を概略形態で示しており、カスタム成形イヤピースは、外耳道部分４１、支持構造４２、外耳道部分４１の第１の端部４４のレシーバ用開口部４３、プライマリセンサ４５を有している。支持構造４２は、上側部分４８を備えており、支持構造４２の第２の部分４９は、実質的に環状である。外耳道部分４１は、第１の接触面４６を備えており、第１の接触面は、支持構造４２と下耳甲介に配置され得るセンサ４５とに機械的に接続されている。それによって、センサ４５の皮膚接触面４７に印加される力は、第１の接触面４６に印加される対向力とは反対になり得る。このため、ユーザの耳の内側にイヤピース４０が配置されると、第１の接触面４６に印加される力と、皮膚接触面４７に印加される力とは反対向きになり、反対向きの力によってイヤピースが挟み込まれることによって、イヤピースをユーザの耳の内側に固定することが可能になる。
【００４９】
図４ｂは、図４ａに示したものと同様のハウジングを示しており、支持構造４２の上側部分４８が取り除かれている。センサ４５および第２の部分４９は、外耳道部分４１の第２の端部５０から、ユーザの耳の下耳甲介の中へと延在している。支持構造４２は比較的硬く、それにより、支持構造４２の第２の部分４９に印加される力は、第１の接触面４６に向かって直接伝えられ、反対向きの力によってイヤピース４０をユーザの耳の定位置に保持することができるようになる。
【００５０】
図５ａは、外耳道部分６１および支持構造６２を備えたイヤピース６０を示しており、支持構造６２は、外耳道部分６１の第２の端部６４に接続された第１の部分６３と、センサ６６に接続された第２の部分６５とを有する。外耳道部分は、外耳道の上部に接触するように適合された第１の接触面６７を備えており、センサ６６の皮膚接触面６８から第１の接触面６７に力が伝達され、２つの接触面の間に印加される力により、イヤピース６０を定位置に挟み込むことが可能になる。この例では、支持構造は、第１の部分とは反対方向にある第３の部分６９を含んでおり、第３の部分６９は、第２の皮膚接触面７０を設けることによってイヤピース６０をさらに支持するため利用することができ、外耳道または下耳甲介ではない耳の部分に接触するために利用できる。皮膚接触面は、例えば、外耳、対耳輪の上脚、耳甲介舟、またはユーザの外耳の他の部分に接触して、センサの第１の接触面または皮膚接触表面のいずれかにさらなる対向力を加えるために使用されてもよい。
【００５１】
図５ｂは、図５ａに示したものと同様のイヤピース６０を示しており、第３の部分６９は、第２の部分６５から脱着可能である。第３の部分６９は、第２の部分６５および／またはセンサ６６に結合され得る結合部材７１を備えていてもよい。第３の部分６９に力が印加された場合、それを第２の部分６５に伝達されるようにして、結合部材を設けてもよい。したがって、結合部材７１が第２の部分６５またはセンサ６６に取り付けられている場合、第３の部分の皮膚接触面を使用して、センサおよび／または外耳道部分に異なる方向でさらに力を加えることができる。
【００５２】
図５ｃは、イヤピースのさらなる実施形態、すなわちＩＴＥ装置の実施形態であり、外耳道部分６１は、電源およびプロセッサを備え、支持構造の第３の部分６９はマイクロフォン７２を備えている。マイクロフォンは、第２の皮膚接触面７０を提供するように適合されてもよく、外耳道部分とセンサとの間の電気接続、並びにマイクロフォンへの電気接続は、支持構造６２に組み込まれていてもよい。
【００５３】
図６ａは、外耳道部分８１、支持構造８２およびセンサ８３を備えており、レシーバ用開口部８４を有する１つの例示的なイヤピース８０を示しており、レシーバはＢＴＥ装置の中にあり、開口部８４は音声経路である。外耳道部分８１は、音声管８５を介してＢＴＥハウジングに接続されており、音声管は、センサ８３をＢＴＥハウジングに接続し、かつ、マイクロフォン８７をＢＴＥハウジングに接続するように適合された電気接続８６を包含している。この例の支持構造８２は、センサワイヤ８２を備えていてもよく、センサワイヤ８２は、外耳道部分６１の第１の接触面８８が上外耳道に接触しているときに、センサをユーザの皮膚表面に向かって押し付けて、反対向きの力を加えるような硬さを有してもよい。
【００５４】
図６ｂは、図６ａと同じイヤピースを示しているが、支持構造が、外耳道部分８１に接続された第１の部分８９と、例えばセンサ用空洞９１の中にセンサを収容する第２の部分９０とを有する支持構造の形態で提供されている点が異なる。
【００５５】
図７ａは、ＩＴＥ聴覚装置であり得る１つの例示的なイヤピース１００を示しており、イヤピース１００は、外耳道部分１０１、電池用ドア１０２、制御ボタン１０３、１つまたは２つのマイクロフォン１０４、ワックスフィルタ１０５、プルアウトワイヤ１０６、センサ１０７、支持構造１０８を備えている。この例の支持構造１０８は、センサワイヤ１０９を備えていてもよく、センサワイヤ１０９は、外耳道部分１０１の第１の接触面１１０が上外耳道に接触しているときに、センサをユーザの皮膚表面に向かって押し付けて、反対向きの力を加えるような硬さを有してもよい。
【００５６】
図７ｂは、図７ａと同じイヤピースを示しているが、支持構造が、外耳道部分１０１に接続された第１の部分１１１と、例えばセンサ用空洞１１３の中にセンサを収容する第２の部分１１２とを有する支持構造の形態で提供されている点が異なる。
【００５７】
本明細書で使用される「第１の」、「第２の」、「第３の」、「第４の」、「一次」、「二次」、「三次」などの用語は、具体的な順序を示すものではなく、各要素の識別に使用されている。さらに、本明細書で使用される「第１の」、「第２の」、「第３の」、「第４の」、「一次」、「二次」、「三次」などの用語は、何らかの順序や重要性を示すものではなく、「第１の」、「第２の」、「第３の」、「第４の」、「一次」、「二次」、「三次」などの用語は、要素同士を区別するために使用されている。「第１の」、「第２の」、「第３の」、「第４の」、「一次」、「二次」、「三次」などの単語は、本明細書および他の書類においてラベル付けを目的として使用されているにすぎず、特定の空間的順序または時間的順序を示すことを意図するものではない。
【００５８】
さらに、第１の要素とラベル付けすることは、第２の要素が存在することを示唆するものではなく、その逆も同様である。
【００５９】
特徴について図示し説明してきたが、請求項に記載された発明に限定することを意図するものではないことが理解されるであろう。また、当業者には、請求項に記載された発明の趣旨および範囲から逸脱することなく、種々の変更および修正を行い得ることが明らかであろう。したがって、明細書および図面を、限定的な意味ではなく、説明的な意味で解釈されたい。請求項に記載された発明は、すべての代替形態、修正形態、および均等形態を網羅することを意図している。
【００６０】
以下の項目は、本出願時の特許請求の範囲に記載の要素である。
１．聴覚装置用のイヤピースであって、前記イヤピースが、
ユーザの外耳道に導入される外耳道部分であって、前記ユーザの前記外耳道の上部に接触するように構成された第１の接触面を備える、外耳道部分と、
前記ユーザの皮膚表面からの信号を測定するように構成されたプライマリセンサと、
前記外耳道部分に取り付けられる第１の部分および前記プライマリセンサに取り付けられる第２の部分を備える支持構造であって、前記支持構造の前記第２の部分は、前記聴覚装置用イヤピースの使用時、前記プライマリセンサを下耳甲介内に配置するように構成されている、支持構造と、
を備え、
前記支持構造は、前記外耳道の前記上部から前記プライマリセンサに力を伝達するように構成されている、
聴覚装置用イヤピース。
２．前記外耳道部分は、外面を有するハウジングであり、前記ハウジングの前記外面は、前記外耳道の外耳道表面と一致する形状を有する、項目１に記載のイヤピース。
３．前記外耳道部分は、レシーバ用開口部を有する第１の端部、および／または前記支持構造の第１の端部に取り付けられる第２の端部を備える、項目１または２に記載のイヤピース。
４．前記支持構造は、前記第１の部分および／または前記第２の部分に接続される第３の部分を備え、前記第３の部分は、前記ユーザの外耳の表面領域から前記プライマリセンサの皮膚接触面に接触し、そこに力を伝達するように構成されている、項目１から３のいずれか一項に記載のイヤピース。
５．前記プライマリセンサは、フォトプレチスモグラムセンサである、項目１から４のいずれか一項に記載のイヤピース。
６．前記支持構造の前記第１の部分および／または前記第２の部分は、前記ユーザの耳の耳甲介の少なくとも一部に対応する形状を有する、項目１から５のいずれか一項に記載のイヤピース。
７．前記ハウジングは、特定のユーザの前記外耳および／または前記外耳道の３Ｄ形状に対応する、前記特定のユーザ用のカスタムハウジングである、項目１から６のいずれか一項に記載のイヤピース。
８．前記第１の接触面は、非弾性の第１の接触面である、項目１から７のいずれか一項に記載のイヤピース。
９．前記支持構造の前記第２の部分は非弾性である、項目１から８のいずれか一項に記載のイヤピース。
１０．前記外耳道部分は、前記レシーバ用の第１の空洞を備え、かつ／または、前記支持構造は、前記プライマリセンサ用の第２の空洞を備える、項目１から９のいずれか一項に記載のイヤピース。
１１．前記外耳道部分は、レシーバを備える、項目１から１０のいずれか一項に記載のイヤピース。
１２．前記レシーバは、前記外耳道部分に取り外し可能に取り付けられており、かつ／または、前記センサは、前記支持構造に取り外し可能に取り付けられている、項目１１に記載のイヤピース。
１３．前記イヤピースは、ＢＴＥハウジングと、前記外耳道部分における前記レシーバおよび／または前記プライマリセンサを前記聴覚装置のＢＴＥハウジングに接続する電気ワイヤと、を更に備える、項目１１または１２に記載のイヤピース。
１４．ユーザの聴覚装置用イヤピースを製作する方法であって、 
前記ユーザの外耳道の上部の少なくとも一部の位置を表すプライマリデータを取得することと、
前記ユーザの下耳甲介の位置を表すセカンダリデータを取得することと、
前記プライマリデータおよび前記セカンダリデータに基づいて、外耳道部分およびプライマリセンサ用の支持構造を製造することと、
を含み、
前記外耳道部分および前記支持構造は、前記ユーザの前記外耳道の前記上部から前記下耳甲介に力を伝達するように構成されている、聴覚装置用イヤピースを製作する方法。
１５．前記外耳道部分および前記センサ用の前記支持構造は、前記ユーザの前記外耳道および／または前記耳甲介の形状の少なくとも一部に対応する外面を有するカスタム部分として提供される、項目１４に記載の聴覚装置用イヤピースを製作する方法。
１６．項目１４または１５に記載の聴覚装置用イヤピースを製作する方法であって、前記外耳道部分および前記支持構造を製造することは、前記外耳道部分に第１の空洞を形成することと、前記支持構造に第２の空洞を形成することとを含み、前記方法は、前記第１の空洞にレシーバを挿入することと、前記第２の空洞に前記プライマリセンサを挿入することとを含む、方法。
【符号の説明】
【００６１】
１  イヤピース
２  外耳道部分
３  支持構造
４  支持構造の第１の部分
５  支持構造の第２の部分
６  第１の接触面
７  レシーバ用空洞
８  レシーバ
９  外耳道部分の第１の端部
１０  第２の接触面
１１  第３接触面
１２  第４の接触面
１３  外耳道部分の第２の端部
１５  センサ用空洞
１６  センサ（プライマリ）
１７  支持構造の下側開口部
１８  底部
１９  電気ワイヤ
２０  電気ワイヤの第１の部分
２１  電気ワイヤの第２の部分
２２  センサ用ハウジング
２３  電気接続
２４  センサの底部
２５  皮膚接触面
２６  第１のウィンドウ
２７  第２のウィンドウ
２８  センサ用ハウジングの内部
４０  イヤピース
４１  外耳道部分
４２  支持構造
４３  レシーバ用開口部
４４  外耳道部分の第１の端部
４５  プライマリセンサ
４６  第１の接触面
４７  皮膚接触面
４８  支持構造の上側部分
４９  支持構造の第２の部分
５０  外耳道部分の第２の端部
６０  イヤピース
６１  外耳道部分
６２  支持構造
６３  支持構造の第１の部分
６４  外耳道部分の第２の端部
６５  支持構造の第２の部分
６６  センサ
６７  第１の接触面
６８  センサの皮膚接触面
６９  支持構造の第３の部分
７０  第２の皮膚接触面
７１  結合部材
７２  マイクロフォン
８０  イヤピース
８１  外耳道部分
８２  支持構造
８３  センサ
８４  レシーバ用開口部
８５  音声管
８６  電気接続
８７  マイクロフォン
８８  第１の接触面
８９  支持構造の第１の部分
９０  支持構造の第２の部分
９１  センサ用空洞
１００  イヤピース
１０１  外耳道部分
１０２  電池用ドア
１０３  制御ボタン
１０４  マイクロフォン
１０５  ワックスフィルタ
１０６  プルアウトワイヤ
１０７  センサ
１０８  支持構造
１０９  センサワイヤ
１１０  第１の接触面
１１１  支持構造の第１の部分
１１２  支持構造の第２の部分
１１３  センサ用空洞
【図１ａ】
2020099040.tif 000003
【図１ｂ】
2020099040.tif 000004
【図２ａ】
2020099040.tif 000005
【図２ｂ】
2020099040.tif 000006
【図３】
2020099040.tif 000007
【図４ａ】
2020099040.tif 000008
【図４ｂ】
2020099040.tif 000009
【図５ａ】
2020099040.tif 000010
【図５ｂ】
2020099040.tif 000011
【図５ｃ】
2020099040.tif 000012
【図６ａ】
2020099040.tif 000013
【図６ｂ】
2020099040.tif 000014
【図７ａ】
2020099040.tif 000015
【図７ｂ】
2020099040.tif 000016
【外国語明細書】
2020099040000001.pdf
2020099040000002.pdf
2020099040000003.pdf
2020099040000004.pdf